(57)【要約】【課題】会社や学校、駅構内や娯楽施設など人の出入りが激しい場所でも長時間にわたって利用でき、それにより消毒液タンクや消毒液ボトルを頻繁に交換する煩わしさを解消すると共に、消毒液の落下を防止し、各種情報を表示できることに加え、施設等への入場に際して罹患の虞がある者を発見できるようにすることで、ウイルスの感染拡大をより強力に抑止できる消毒液スタンドを提供すること。【解決手段】ペダル４を踏むことで中空スタンド２に内設された移動体３が下降し、それに伴って下降した押圧体５が消毒液ボトルのノズルを押圧して消毒液が噴出する。また、検温器９で測定した利用者の体温や測定結果がモニター８にデジタル表示され、施設等への入場の可否に係る情報や広告など各種情報もデジタル表示される。【選択図】図１
0003232120.tif 000002
【実用新案登録請求の範囲】
【請求項１】
手を触れることなく消毒液を噴出することができる足踏み式の消毒液スタンドであり、
台座に立設される中空スタンドと、
該中空スタンドの内部に設けられた上下動可能な移動体、該移動体の下端で連結されるペダル、該移動体の上端で連結される押圧体、とから構成されるプッシュ機構と、
前記押圧体と消毒液ボトルのノズルが当接し得るよう、前記中空スタンドの正面に取り付けられた消毒液ボトルの載置台、
前記中空スタンドの上部に設けた基台に取り付けられる、各種情報をデジタル表示するためのモニターと利用者の体温を測定する検温器、
とから成ることを特徴とする消毒液スタンド。
【請求項２】
前記モニター又は前記検温器には利用者を検知するセンサーが取り付けられていることを特徴とする請求項１に記載の消毒液スタンド。
【考案の詳細な説明】
【技術分野】
【０００１】
本考案は、その設置場所は問わないが、特に会社や学校又は娯楽施設など人の出入りが多い場所に設置することで高い効果を発揮することができる消毒液スタンドである。
【背景技術】
【０００２】
従来、手を消毒するためには、ノズルをプッシュすることで消毒液が噴出するポンプ式の消毒タンクや消毒ボトルが用いられてきた。しかしながら、消毒液を噴出する際に利用者が手動でノズルを押圧しなければならなかったため、衛生面で万全とは言えなかった。特に、２０２０年から世界中で始まったコロナウィルス（Ｃｏｖｉｄ−１９）の大流行では、最も効果的な予防措置がマスクの装着と共に手の消毒であると指摘されたため、手をノズルに接触させずに消毒液を噴出できる器具の利用が望まれることとなった。
【０００３】
斯かるところ、実用新案登録第３１８８０１４号の足踏み式消毒殺菌用の噴霧装置にみられるように、足でペダルを踏むことで、手を接触することなく消毒液を噴霧することができる装置が開発されているが、利用できる消毒液タンクや消毒液ボトルが小型のため、多くの人が利用する会社や学校、駅構内や娯楽施設などでは到底対応できないという問題があった。
【０００４】
また、コロナウイルス（Ｃｏｖｉｄ−１９）の世界的流行では、罹患者を発見するための措置として体温測定が行われるようになり、施設等への入場に際して入口で入場者の体温を測定することが当たり前のこととして実施されるようになったが、そのような機能を持った機器がないため、そのために多くの人員を配置しなければならないという問題があった。更に、施設の入口に消毒液ボトルが置いてあっても、公衆衛生意識の低い人はスルーし、消毒・殺菌を行わないため、感染拡大がなかなか終息しないという問題もあった。
【先行技術文献】
【特許文献】
【０００５】
【特許文献１】実用新案登録第３１８８０１４号公報
【考案の概要】
【考案が解決しようとする課題】
【０００６】
そこで、会社や学校、駅構内や娯楽施設など人の出入りが激しい場所でも長時間にわたって利用でき、それにより消毒液タンクや消毒液ボトルを頻繁に交換する煩わしさを解消すると共に、消毒液の落下を防止し、各種情報を表示できることに加え、施設等への入場に際して罹患の虞がある者を発見できるようにすることで、ウイルスの感染拡大をより強力に抑止できる消毒液スタンドの提供を目指して開発したのが本考案である。また、施設等への入場に際して消毒・殺菌や検温を行わない人に対しては、画像だけでなく音声でも殺菌・消毒と検温を促せる消毒液スタンドの提供も、本考案の課題の一つである。
【課題を解決するための手段】
【０００７】
本考案は、如上の課題を解決するため、手を触れることなく消毒液を噴出することができる足踏み式の消毒液スタンドであり、台座に立設される中空スタンドと、該中空スタンドの内部に設けられた上下動可能な移動体、該移動体の下端で連結されるペダル、該移動体の上端で連結される押圧体、とから構成されるプッシュ機構と、前記押圧体と消毒液ボトルのノズルが当接し得るよう、前記中空スタンドの正面に取り付けられた消毒液ボトルの載置台、前記中空スタンドの上部に設けた基台に取り付けられる、各種情報をデジタル表示するためのモニターと利用者の体温を測定する検温器、とから成る消毒液スタンド（請求項１）を提案する。
【０００８】
本考案ではまた、請求項１に記載の考案であって、前記モニター又は前記検温器には利用者を検知するセンサーが取り付けられている消毒液スタンド（請求項２）も提案する。
【考案の効果】
【０００９】
本考案に係る消毒液スタンドは、消毒液を噴出するためにノズルに触れる必要がないため衛生的であり、しかも、各種情報をデジタル表示できるモニターと、利用者の体温を測定する検温器を取り付けることができるため、消毒液による手の消毒・殺菌に加え、施設等に入場しようとする利用者の体温を測定し、測定結果その他の情報をモニター表示することで、ウイルスに罹患している疑いがある利用者の入場を制限し、それにより、ウイルスの感染拡大をより強力に抑止することができる。また、ニュースでも報じられているように、せっかく消毒液ボトルや体温測定器が準備されていても、利用せずにスルーしてしまう公衆衛生意識の低い人達がいるために、なかなか感染拡大を終息させることができないが、本考案に係る消毒液スタンドでは画像のみならず音声でも利用を促す情報を発信でき、また、利用者には感謝やねぎらいを発信できるため、感染抑止のための啓蒙に資することができる。、
【００１０】
また、本考案に係る消毒液スタンドは、モニター又は検温器に利用者を検知する赤外線等のセンサーが取り付けられており、適宜の角度で利用者の足元を照射して接近を検知するため、利用者でない通行人を検知することに拠るモニターと検温器の無用な起動を防止することができる。
【図面の簡単な説明】
【００１１】
【図１】本考案に係る消毒液スタンドの実施形態を示す図面である。
【図２】本考案における移動体とペダル及び押圧体の連結状態を示す抽出図面である。
【考案を実施するための最良の形態】
【００１２】
以下、本考案の望ましい実施形態を、図面に基づいて説明する。
【実施例１】
【００１３】
図１は本考案に係る消毒液スタンドの実施形態を示す図面であり、１は台座、２は中空スタンド、３は移動体、４はペダル。５は押圧体、６は載置台、７は基台、８はモニター、９は検温器、１０はセンサーである。図２は本考案における移動体３とペダル４及び押圧体５の連結状態を示す抽出図面である。
【００１４】
本考案に係る消毒液スタンドは、図１に示すとおり、中空スタンド２が台座１上に立設されており、その中空部には上下動が可能な移動体３が内設されている。移動体３の下端はペダル４と連結され、移動体３の上端は押圧体５と連結されることで、ペダル４を踏むことで移動体３の下降に伴って押圧体５も下降するようになっており、これらが本考案におけるプッシュ機構を構成する主たる要素である。なお、移動体３とペダル４及び押圧体５の連結状態は、図２に記されるとおりである。
【００１５】
中空スタンド２の正面には消毒液ボトル（図示しない）を載置するための載置台６が取り付けられており、ペダル４を踏んで押圧体５が下降すると、押圧体５の下面が消毒液ボトルのノズル（図示しない）を押圧するため、ノズルから消毒液が噴出することになる。なお、載置台６の中空スタンド２への取り付けは図示したネジ止めのほか、掛留めなど公知の方法でよい。
【００１６】
中空スタンド２の上部背面には基台７が取り付けられており、その基台７にはモニター８と検温器９が取り付けられている。モニター８は各種情報をデジタル表示し得るものであれば液晶や有機ＥＬなど特性は問わず、利用者に発信される利用方法や設置施設の広告など各種情報を記憶する記憶部と、検温器９で測定した利用者の体温に応じて記憶部から必要な情報を抽出し表示する制御処理部を備えている。検温器９はサーマルカメラの採用が予定されるが、利用者の体温を測定し得るものであればこれに限定されない。
【００１７】
基台７に取り付けられるモニター８と検温器９はデータを遣り取りし得るよう、ＵＳＢケーブルなどで接続されていることはもちろんであるが、それによりモニター８から検温器９への給電も行われるため、各種接続による設置の煩雑化を軽減できる。なお、基台７の中空スタンド２への取り付けや、モニター８及び検温器９の基台７への取り付けは、ネジ止めや掛留めなど公知の方法が採用される。
【００１８】
このように、本考案に係る消毒液スタンドは、利用者の手の消毒・殺菌に止まらず、利用方法や消毒液スタンドを設置した施設の広告など各種情報をはじめ、検温器９で取得した結果を音声だけでなくモニター８でもデジタル表示できるため、利用者の施設への入場の可否やその後の対応まで示唆し得るデジタルサイネージ機器として、広範に利用することができる。それにより、ウイルスの感染拡大をより強力に抑止することができる。また、消毒・殺菌や検温を行わない人には利用を促し、利用者には華南者やねぎらいを表明できるため、感染抑止のための啓蒙にも資することができる。
【実施例２】
【００１９】
本考案に係る消毒液スタンドはまた、モニター８又は検温器９に利用者を検知するセンサー１０が取り付けられており、足元を照射して利用者の接近のみを検知し、利用者以外の通行人等を検知しないよう、適宜の照射角度となるよう取り付けられている。そうすることで、利用者以外の者を検知することに拠る無用な起動を抑制することができる。なお、図面ではモニター８の底部付近に適宜の照射角度で取り付けられているが、検温器９に取り付けることも可能である。
【産業上の利用可能性】
【００２０】
本考案に係る消毒液スタンドは、手の消毒・殺菌に加え、利用者の体温も測定して施設等への入場の可否を判断できるため、会社や学校をはじめ、空港や娯楽施設など、人の出入りが多いあらゆる場所に設置して利用することが可能である。
【符号の説明】
【００２１】
１    台座
２    中空スタンド
３    移動体
４    ペダル
５    押圧体
６    載置台
７    基台
８    モニター
９    検温器
１０    センサー
【図１】
0003232120.tif 000003
【図２】
0003232120.tif 000004